(57)【要約】【課題】表示部の周縁部を覆う矩形状の枠体を４つの枠部材に分割し、矩形の四隅で隣り合う枠部材の端部同士を連結体によって連結する場合に、導光板の位置決め構造の簡素化と金型費用の一層の低減が実現できる表示装置を提供する。【解決手段】連結体４０は、連結する２つの枠部材２０１，２０２夫々に結合される２つの結合部４０ｂを備えている。連結体４０は、導光板１１の端面と対向し、表示部の表示面と平行な面内で導光板１１の位置を決める位置決め部を備え、該位置決め部は、結合部４０ｂから枠部材２０１，２０２の長手方向と交差する方向に突出した突出部４０ｃである。２つの結合部４０ｂは、矩形状の板材が長手方向の途中箇所で略９０度の角度をなすように屈曲して形成され、突出部４０ｃは板材の長手方向の端部が屈曲して形成されている。導光板１１は、突出部４０ｃの突出形状に沿った欠落部１１ａを有する。【選択図】図５
2013130829.tif 000002
【特許請求の範囲】
【請求項１】
前側に表示面を有する表示部と、該表示部の後側に配される導光板と、該導光板の端面に対向した光源と、前記表示部の周縁部を覆う矩形状の枠体とを備え、該枠体は、矩形の各辺を構成する４つの枠部材と、該４つの枠部材の隣り合う端部同士を連結する４つの連結体とを有する表示装置において、
前記連結体は、前記導光板の端面と対向し、前記表示面と平行な面内で前記導光板の位置を決める位置決め部を備えていることを特徴とする表示装置。
【請求項２】
前記連結体は、連結する前記２つの枠部材夫々に結合される２つの結合部を備え、
前記位置決め部は、前記結合部から前記枠部材の長手方向と交差する方向に突出しており、
前記導光板は、前記位置決め部の形状に沿った欠落部を有することを特徴とする請求項１に記載の表示装置。
【請求項３】
前記２つの結合部は、矩形状の板材が長手方向の途中箇所で略９０度の角度をなすように屈曲して形成され、
前記位置決め部は、前記板材の長手方向の端部が板面と交差する方向に屈曲して形成されていることを特徴とする請求項２に記載の表示装置。
【請求項４】
前記位置決め部は前記２つの結合部の夫々に設けてあることを特徴とする請求項２又は３に記載の表示装置。
【請求項５】
前記位置決め部は、前記４つの連結体のうち、１つの枠部材の両側に位置する２つの連結体にのみ設けてあることを特徴とする請求項２から４のいずれか１項に記載の表示装置。
【請求項６】
前記位置決め部は前記枠体の外側から内側に向かう方向に突出していることを特徴とする請求項２から５のいずれか１項に記載の表示装置。
【請求項７】
前記位置決め部は前記枠体の内側から外側に向かう方向に突出していることを特徴とする請求項２から５のいずれか１項に記載の表示装置。
【請求項８】
請求項１から７のいずれか１項に記載された表示装置と、放送波を受信するチューナとを備え、該チューナで受信した放送波に基づいて前記表示装置に映像を表示するようにしてあることを特徴とするテレビ受信装置。
【発明の詳細な説明】
【技術分野】
【０００１】
本発明は、表示部の後側に導光板が配され、導光板の端面に対向した光源から導光板内に入射した光によって表示部を照明し、表示部の周縁部を覆う矩形状の枠体を備えた表示装置、及び、該表示装置を備えたテレビ受信装置に関する。
【背景技術】
【０００２】
近年、液晶表示装置等の薄型テレビジョンでは大型化が進んでおり、５２型、６０型、７０型等の表示サイズの機種も増加している。一方、薄型化への要望も強く、液晶表示装置においては、バックライト構造であるにも関わらず、厚さが２ｃｍを切る製品も発売されている。また、表示サイズが大型化すると、外観を形成するキャビネット（枠体）も大型になるが、外形サイズは極力小型にしたいとの要望も強い。
【０００３】
一般にキャビネットは一体フレームであり、金型によって作製される。金型の費用は大きさに比例し、大型の機種の場合は金型費用が高額になる。更に、大型の機種を複数バリエーション展開する場合は機種数に応じて金型費用が増加する。そこで、キャビネットを上下左右の４つの枠部材に分割し、各枠部材の端部同士を４隅部で連結体により連結する表示装置が考えられる。
【０００４】
特許文献１には、液晶表示パネルの後側に配置される矩形の導光板の４隅の後面側に形成した凹部を、導光板の周縁及び後面を覆う箱状のシャーシ（後側キャビネット）の内面４隅に形成した凸部に係合させて、導光板の位置決めをする技術が示されている。
【先行技術文献】
【特許文献】
【０００５】
【特許文献１】特開２００４−２９６１９３号公報
【発明の開示】
【発明が解決しようとする課題】
【０００６】
特許文献１に記載の表示装置では、一体のフレームである後側キャビネットに導光板の位置決め部を設けているので、キャビネットを作製する金型の形状が複雑化し、金型費用も増加する。
【０００７】
本発明は、上述したような事情に鑑みてなされたものであり、表示部の周縁部を覆う矩形状の枠体を４つの枠部材に分割し、矩形の四隅で隣り合う枠部材の端部同士を連結体によって連結する場合に、導光板の位置決め構造の簡素化と金型費用の一層の低減が実現できる表示装置、及び、該表示装置を備えたテレビ受信装置を提供することを目的とする。
【課題を解決するための手段】
【０００８】
本発明に係る表示装置は、前側に表示面を有する表示部と、該表示部の後側に配される導光板と、該導光板の端面に対向した光源と、前記表示部の周縁部を覆う矩形状の枠体とを備え、該枠体は、矩形の各辺を構成する４つの枠部材と、該４つの枠部材の隣り合う端部同士を連結する４つの連結体とを有する表示装置において、前記連結体は、前記導光板の端面と対向し、前記表示面と平行な面内で前記導光板の位置を決める位置決め部を備えていることを特徴とする。
【０００９】
本発明によれば、前側に表示面を有する表示部の後側に配され、端面に光源が対向した導光板の位置を決める位置決め部が、矩形状の枠体の各辺を構成する４つの枠部材の隣り合う端部同士を連結する連結体に備えられ、該連結体の位置決め部に導光板の端面が対向することで表示面と平行な面内での導光板の位置が決められる。
【００１０】
本発明に係る表示装置は、前記連結体は、連結する前記２つの枠部材夫々に結合される２つの結合部を備え、前記位置決め部は、前記結合部から前記枠部材の長手方向と交差する方向に突出しており、前記導光板は、前記位置決め部の形状に沿った欠落部を有することを特徴とする。
【００１１】
本発明によれば、各連結体に備えた２つの結合部が連結する２つの枠部材夫々に結合することにより、枠部材の端部同士が連結されるとともに、上記結合部から枠部材の長手方向と交差する方向に突出した位置決め部の形状に沿った導光板側の欠落部が該位置決め部に対向することにより、表示面と平行な面内での導光板の位置が決められる。
【００１２】
本発明に係る表示装置は、前記２つの結合部は、矩形状の板材が長手方向の途中箇所で略９０度の角度をなすように屈曲して形成され、前記位置決め部は、前記板材の長手方向の端部が板面と交差する方向に屈曲して形成されていることを特徴とする。
本発明によれば、屈曲した板材によって２つの結合部と位置決め部とが形成されるので、枠部材の連結機能と導光板の位置決め機能とを有する簡素な構成の連結体が得られる。
【００１３】
本発明に係る表示装置は、前記位置決め部は前記２つの結合部の夫々に設けてあることを特徴とする。
本発明によれば、各連結体に備えた２つの結合部の夫々に設けた位置決め部に導光板側の欠落部が対向するので、表示面と平行な面内で直交する２つの方向において導光板の位置が決められ、導光板の位置決めが更に的確になされる。
【００１４】
本発明に係る表示装置は、前記位置決め部は、前記４つの連結体のうち、１つの枠部材の両側に位置する２つの連結体にのみ設けてあることを特徴とする。
本発明によれば、１つの枠部材の両側に位置する２つの連結体にのみ設けた位置決め部に導光板の端面が対向して導光板の位置決めがされるので、矩形の枠体に対して導光板の位置決めを可能とする最小限の構成が得られる。
【００１５】
本発明に係る表示装置は、前記位置決め部は前記枠体の外側から内側に向かう方向に突出していることを特徴とする。
本発明によれば、位置決め部が枠体の外側から内側に向かって突出しているため、位置決め部が枠体の外側にはみ出すおそれがなく、位置決め部の形状の設計の自由度を大きくできる。
【００１６】
本発明に係る表示装置は、前記位置決め部は前記枠体の内側から外側に向かう方向に突出していることを特徴とする。
本発明によれば、位置決め部が枠体の内側から外側に向かって突出しているため、位置決め部の形状に沿った導光板側の欠落部が枠体の外側寄りに位置し、導光板の有効範囲を大きくすることができる。
【００１７】
本発明に係るテレビ受信装置は、上述したいずれかの表示装置と、放送波を受信するチューナとを備え、該チューナで受信した放送波に基づいて前記表示装置に映像を表示するようにしてあることを特徴とする。
本発明によれば、チューナで受信した放送波に基づいて上述したいずれかの表示装置に映像が表示される。
【発明の効果】
【００１８】
本発明に係る表示装置によれば、表示部の周縁部を覆う矩形状の枠体を４つの枠部材に分割し、矩形の四隅で隣り合う枠部材の端部同士を連結体によって連結する場合に、連結体に備えた位置決め部に導光板の端面が対向することで表示面と平行な面内での導光板の位置が決められるので、導光板の位置決め構造の簡素化と金型費用の一層の低減が実現できる表示装置が提供される。
【００１９】
本発明に係るテレビ受信装置によれば、大型の表示画面を有し、導光板の位置決め構造の簡素化と金型費用の低減が実現された薄型のテレビ受信装置が提供される。
【図面の簡単な説明】
【００２０】
【図１】本発明に係るテレビ受信装置の前側の外観斜視図である。
【図２】本発明に係る表示装置の一部縦断面図である。
【図３】前キャビネットの概略構成を模式的に示す正面図である。
【図４】本発明の実施の形態１に係る表示装置の連結体を示す斜視図である。
【図５】本発明の実施の形態１に係る表示装置の一部構造を示す背面図である。
【図６】本発明の実施の形態１に係る表示装置の一部構造を示す背面図である。
【図７】本発明の実施の形態１に係る表示装置の一部構造を模式的に示す断面図である。
【図８】本発明の実施の形態２に係る表示装置の一部構造を示す背面図である。
【図９】本発明の実施の形態３に係る表示装置の一部構造を示す背面図である。
【発明を実施するための形態】
【００２１】
以下、本発明に係る表示装置及び該表示装置を搭載したテレビ受信装置の実施の形態を図面に基づいて説明する。
（実施の形態１）
図１は本発明に係るテレビ受信装置の前側の外観斜視図、図２は本発明に係る表示装置の一部縦断面図である。
【００２２】
テレビ受信装置１は、映像を表示する表示装置１００と、表示装置１００内に配設してあり、アンテナ（不図示）から放送波を受信するチューナ２００と、表示装置１００内に配設してあり、符号化された放送波を復号するデコーダ３００とを備える。テレビ受信装置１は、チューナ２００にて受信した放送波をデコーダ３００で復号し、復号した情報に基づいて表示装置１００に映像を表示する。テレビ受信装置１の下部に、テレビ受信装置１を支持するスタンド４００を設けてある。
【００２３】
表示装置１００は、前側に表示面１０ａを有する横長の矩形状の液晶表示パネル１０を備えている。表示パネル１０は、前後に縦向きに配置された前キャビネット２０及び後キャビネット３０に縦向きに収容されている。前キャビネット２０は矩形の枠状をなし、中央部に矩形の開口２０ａを有する。前キャビネット２０は例えばアルミニウム材からなる。後キャビネット３０は、前側が開放された矩形のトレイ状をなし、例えば電気亜鉛めっき鋼鈑からなる。尚、前キャビネット２０及び後キャビネット３０は樹脂部材で構成してもよい。
【００２４】
前キャビネット２０及び後キャビネット３０の上下及び左右寸法は略同一であり、互いの周縁部分が対向する。表示パネル１０の上下及び左右寸法は、前キャビネット２０の開口２０ａよりも若干大きく、表示パネル１０の周縁部分は前キャビネット２０の内縁部分と対向している。
【００２５】
前キャビネット２０は、中央部に開口２０ａを有し、前面に露出した矩形枠状の前板部２１と、前板部２１の外縁部分（開口２０ａと反対側の縁部分）から後側に延設された側板部２２とを備え、略Ｌ字形の断面を有している。前板部２１の開口２０ａの縁部分２１ａが後側に屈曲しており、この屈曲した部分の周囲に弾性部材１４が設けてある。表示パネル１０の周縁部分が弾性部材１４を介して前板部２１の内側縁部に対向することで表示パネル１０の損傷を防止している。弾性部材１４は樹脂部材（例えば高密度マイクロウレタンフォーム、ゴム又はラテックスなど）からなり、縁部分２１ａに沿って連続的又は断続的に配置してある。
【００２６】
前キャビネット２０の側板部２２の外周側には、後キャビネット３０を係止するために前側に窪んだ係止溝２２ａが設けてある。後キャビネット３０は、中央部に前側に突出した板状の凹部３１と、凹部３１の周部後端に連なる板状の周縁部３２とを有する。周縁部３２には貫通孔３２ａが形成されている。
【００２７】
断面がＬ字形の板状の金属部材で構成された光源載置部２３が設けてある。光源載置部２３のＬ字の一方側部分は前後方向に伸び、この一方側部分の内面側に光源ユニット１５が固定されている。光源載置部２３のＬ字の他方側部分はＬ字の一方側部分の後端部から外向きに伸びている。光源ユニット１５は、細長い矩形の基板１５ａと、基板１５ａ上に長手方向に沿って複数の並置されたＬＥＤ（Light Emitting Diode：発光ダイオード）１５ｂとを備えている。基板１５ａは熱伝導性の良い両面テープによって光源載置部２３に接着され、更にネジ止めされている。
【００２８】
光源載置部２３の前端部２３ａを係止する溝部２１ｂが前板部２１の内側に設けられ、Ｌ字の他方側部分には貫通孔２３ｂが形成されている。該貫通孔２３ｂを後キャビネット３０の周縁部３２の貫通孔３２ａに重ねた状態で係止ネジ２４を貫通孔３２ａ及び貫通孔２３ｂに挿通して係止溝２２ａにタッピングによって螺合させることにより、光源載置部２３を前後に挟んだ状態で前キャビネット２０と後キャビネット３０とが結合される。
【００２９】
表示パネル１０の後側に、表示パネル１０に対向する矩形の導光板１１が設けてある。導光板１１の上下及び左右寸法は表示パネル１０より若干大きい。導光板１１の前後位置はＬＥＤ１５ｂの前後位置と略同じであり、導光板１１の周面はＬＥＤ１５ｂに対向し、近接している。導光板１１の前面に、導光板１１の前面から出射された光を均一に拡散する矩形の拡散シート１２と、拡散シート１２によって拡散された光を表示パネル１０へ向けて集光する矩形の光学シート１３とが順に設けてある。光学シート１３は表示パネル１０の後面に近接している。拡散シート１２及び光学シート１３の上下及び左右寸法は導光板１１より小さい。
【００３０】
導光板１１の後面には、入射光を前方に向けて反射する反射シート１６が設けてある。反射シート１６の上下及び左右寸法は導光板１１よりも大きい。ＬＥＤ１５ｂから発せられた光は導光板１１の周面に入射し、導光板１１の内部及び反射シート１６で透過及び反射して、導光板１１の前面から出射される。出射された光は拡散シート１２及び光学シート１３を透過して表示パネル１０に至る。反射シート１６の後側に後キャビネット３０の凹部３１の底部分３１ａが位置し、底部分３１ａは反射シート１６と平行に対向し、近接している。
【００３１】
次に前キャビネット２０の構成について説明する。図３は前キャビネットの概略構成を模式的に示す正面図である。
前キャビネット２０は、矩形の長辺を構成する２つの横枠２０１と、矩形の短辺を構成する２つの縦枠２０２に分割されている。縦枠２０２の長さは横枠２０１よりも短い。横枠２０１及び縦枠２０２は押出成形によって製造されるが、引き抜き成形、射出成形またプレス成形など他の方法で製造してもよい。
【００３２】
横枠２０１及び縦枠２０２の両端部は長さ方向に対して逆向きに略同じ角度で傾斜している。横枠２０１の端部の傾斜角度と縦枠２０２の端部の傾斜角度との和は略９０度である。２つの横枠２０１を傾斜した端部が内側に向く状態で対向配置し、２つの縦枠２０２を傾斜した端部が内側に向く状態で且つ横枠２０１と直交させて対向配置し、矩形の４隅における横枠２０１と縦枠２０２との端部同士を突き当てた状態で後述の各連結体４０，４１によって連結することにより前キャビネット２０が形成される。
【００３３】
次に連結体４０，４１、横枠２０１と縦枠２０２との連結構造、及び、連結体４０による導光板１１の位置決め構造について説明する。図４は本発明の実施の形態１に係る表示装置の連結体を示す斜視図、図５は同表示装置の一部構造を示す背面図、図６は同表示装置の一部構造を示す背面図、図７は同表示装置の一部構造を模式的に示す断面図である。
【００３４】
前キャビネット２０の左右の下隅に位置する２個の連結体４０と、前キャビネット２０の左右の上隅に位置する２個の連結体４１とは、構造が異なる。
前キャビネット２０の左右の下隅に位置する連結体４０は、金属板を折り曲げて作製されている。矩形状の金属板を長手方向の途中箇所で略９０度の角度でＬ字状に折り曲げて２つの基板部４０ａが形成され、各基板部４０ａの幅方向の一方の端縁から板面に対して略９０度の角度でＬ字の外側に向けて折り曲げて２つの側板部４０ｂが形成され、更に、一方の基板部４０ａの長手方向の端部から板面に対して略９０度の角度でＬ字の内側に向けて折り曲げて前キャビネット２０の内側へ突出した突出部４０ｃが形成されている。各側板部４０ｂには、各基板部４０ａの板面と平行な方向に間隔をおいて２つの貫通孔４０ｄが設けてある。尚、図４、図５には、左下隅に位置する連結体４０を示すが、右下隅に位置する連結体４０は左下隅に位置する連結体４０と左右対称である。
【００３５】
前キャビネット２０の左右の上隅に位置する連結体４１は、略Ｌ字形状の金属板で構成され、Ｌ字をなす２つの板部４１ａには、各板部４１ａの長手方向に間隔をおいて２つの貫通孔４１ｂが設けてある。尚、図６には、左上隅に位置する連結体４１を示すが、右上隅に位置する連結体４１も同じ連結体４１が使用される。
【００３６】
導光板１１には、左右の下隅に連結体４０の突出部４０ｃの形状に沿った切欠部１１ａが形成されている。切欠部１１ａは、突出部４０ｃの側面に沿った第１部分１１ａ１と、突出部４０ｃの先端部に対向する第２部分１１ａ２とを有し、両方の部分１１ａ１，１１ａ２が段状をなしている。
【００３７】
横枠２０１及び縦枠２０２の前板部２１の端部の後面側には、各枠の長手方向に平行に延び、同じ高さで後側に突出した２つの突条２５が枠の幅方向に間隔を隔てて並置してある。下側の横枠２０１と左右の縦枠２０２との端部同士を略９０度の角度をなすように突き当てた状態で、連結体４０の各側板部４０ｂを横枠２０１及び縦枠２０２の突条２５に当接させ、２つの貫通孔４０ｄを突条２５の間の溝部２５ａに位置させる（図５）。この状態で各貫通孔４０ｄに止めネジ２６を挿通して溝部２５ａにタッピングによって螺合させることにより、各側板部４０ｂが横枠２０１及び縦枠２０２に結合され、下側の横枠２０１と左右の縦枠２０２とが連結される（図７）。
【００３８】
同様に、上側の横枠２０１と左右の縦枠２０２との端部同士を略９０度の角度をなすように突き当てた状態で、連結体４１の各板部４１ａを横枠２０１及び縦枠２０２の突条２５に当接させ、２つの貫通孔４１ｂを突条２５の間の溝部２５ａに位置させる（図６）。この状態で各貫通孔４１ｂに止めネジ２６を挿通して溝部２５ａにタッピングによって螺合させることにより、各板部４１ａが横枠２０１及び縦枠２０２に結合され、上側の横枠２０１と左右の縦枠２０２とが連結される。
【００３９】
以上の如く、２つの横枠２０１と２つの縦枠２０２と各連結体４０，４１とが結合された前キャビネット２０を前側が下になる状態にする。そして、表示パネル１０の表示面１０ａを下向きにして、表示パネル１０を前キャビネット２０にセットする。次に、表示パネル１０の後面に、光学シート１３及び拡散シート１２を重ねた後、導光板１１の切欠部１１ａの横向きの第１部分１１ａ１が連結体４０の突出部４０ｃの側面に対向し、縦向きの第２部分１１ａ２が連結体４０の突出部４０ｃの先端部に対向するように導光板１１をセットする。これにより、表示面１０ａと平行な面内で縦方向（縦枠２０２の長手方向）及び横方向（横枠２０１の長手方向）の２つの方向に対する導光板１１の位置が決められる。次に導光板１１に反射シート１６を重ね、反射シート１６の後面に後キャビネット３０を重ねた状態で後キャビネット３０を前キャビネット２０にネジ止めすることにより、表示装置１００が作製される。
【００４０】
（実施の形態２）
図８は本発明の実施の形態２に係る表示装置の一部構造を示す背面図である。
実施の形態２では、連結体４０の２つの基板部４０ａの長手方向の各端部に前記突出部４０ｃが形成され、該２つの突出部４０ｃの形状に沿った２つの切欠部１１ｂが導光板１１に形成されている点が実施の形態１と異なる。各切欠部１１ｂは突出部４０ｃの側面に沿った第１部分１１ｂ１と、突出部４０ｃの先端部に対向する第２部分１１ｂ２とを有する。
このような形態とすることによって、導光板１１の縦方向（縦枠２０２の長手方向）の位置決めと横方向（横枠２０１の長手方向）の位置決めとを１つの連結体４０によって行うことができる。
【００４１】
（実施の形態３）
図９は本発明の実施の形態３に係る表示装置の一部構造を示す背面図である。
実施の形態３では、連結体４０の２つの基板部４０ａの長手方向の各端部に形成された２つの突出部４０ｅが前キャビネット２０の内側から外側に向かうように突出し、突出部４０ｅの形状に沿った切欠部１１ｃが導光板１１に形成されている点が実施の形態２と異なる。各切欠部１１ｃは突出部４０ｅの側面に沿った第１部分１１ｃ１を有する。
実施の形態３では、突出部４０ｅが前キャビネット２０の内側から外側に向かうように突出しているので、切欠部１１ｃを小さくすることができる。
このような形態とすることによって、導光板１１の縦方向（縦枠２０２の長手方向）の位置決めと横方向（横枠２０１の長手方向）の位置決めとを１つの連結体４０によって行うとともに、導光板１１による四隅への光の出射量を多くすることができる。
【００４２】
なお、今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００４３】
１０      表示パネル（表示部）
１０ａ    表示面
１１      導光板
１１ａ    切欠部（欠落部）
１１ｂ    切欠部（欠落部）
１１ｃ    切欠部（欠落部）
１５ｂ    ＬＥＤ（光源）
２０      前キャビネット（枠体）
２０１    横枠（枠部材）
２０２    縦枠（枠部材）
４０      連結体
４０ｂ    側板部（結合部）
４０ｃ    突出部（位置決め部）
４０ｅ    突出部（位置決め部）
１００    表示装置
２００    チューナ
【図１】
2013130829.tif 000003
【図２】
2013130829.tif 000004
【図３】
2013130829.tif 000005
【図４】
2013130829.tif 000006
【図５】
2013130829.tif 000007
【図６】
2013130829.tif 000008
【図７】
2013130829.tif 000009
【図８】
2013130829.tif 000010
【図９】
2013130829.tif 000011